(57)【要約】【課題】  本発明は、外部からの指示によって書き換え可能な電子タグを有する携帯機器を提供することを課題とする。【解決手段】  ＩＤ管理サーバは、タグ情報の書き換え要求を通信回線を介して携帯機器に送り、これをアンテナ９から受けた携帯機器では、制御部６が、ＲＦ−ＩＤ回路部１ａ内の情報を書き換える。これにより、ＲＦ−ＩＤ回路部１ａには電子タグとしての機能に汎用性を持たせることが出来る。【選択図】      図１
2005107653.tif 000002
【特許請求の範囲】
【請求項１】
電子タグを有する携帯機器であって
通信回線と接続する通信手段と、
前記通信手段が前記通信回線から受信した指示に基づいて、前記電子タグ内に記憶されているタグ情報とアクセスするアクセス手段と、
を備えることを特徴とする携帯機器。
【請求項２】
前記アクセス手段によって前記タグ情報にアクセスすることが出来ない第２の電子タグを更に備えることを特徴とする請求項１に記載の携帯機器。
【請求項３】
前記通信手段に、前記タグ情報の消去の要求を送信させ、該消去の要求に対する応答があったなら前記電子タグ内のタグ情報を消去する停止手段を更に備えることを特徴とする請求項１又は２に記載の携帯機器。
【請求項４】
前記通信回線は、インターネットであることを特徴とする請求項１乃至３のいずれか１つに記載の携帯機器。
【請求項５】
前記通信回線は、電話回線であることを特徴とする請求項１乃至３のいずれか１つに記載の携帯機器。
【請求項６】
電子タグを有する携帯機器と通信回線によって接続されるサーバ装置であって、
各電子タグを識別する識別コードであるＩＤコードを前記携帯機器に対する情報と対応付けて記憶するデータベース手段と、
前記通信回線を介して、前記携帯機器の認証を行なう認証手段と、
前記携帯機器の認証が得られれば、前記ＩＤコードを含むタグ情報を前記電子タグに書き込むよう前記携帯機器に要求すると共に、前記データベース手段に当該ＩＤコードを登録する登録手段と、
を備えるサーバ装置。
【請求項７】
ＩＤの停止要求に対して、前記データベース手段に、要求のあったＩＤコードが停止されたことを登録する停止手段を更に備えることを特徴とする請求項６に記載のサーバ装置。
【請求項８】
電子タグを有する携帯機器内で実行されるプログラムであって、
通信回線と接続する機能と、
前記通信回線から受信した指示に基づいて、前記電子タグ内に記憶されているタグ情報とアクセスする機能と、
を実現するプログラム。
【請求項９】
電子タグを有する携帯機器と通信回線によって接続されるサーバ装置で実行されるプログラムであって、
各電子タグを識別する識別コードであるＩＤコードを前記携帯機器に対する情報と対応付けて記憶する機能と、
前記通信回線を介して、前記携帯機器の認証を行なう機能と、
前記携帯機器の認証が得られれば、前記ＩＤコードを含むタグ情報を前記電子タグに書き込むよう前記携帯機器に要求すると共に、当該ＩＤコードを登録する機能と、
を実現するプログラム。
【発明の詳細な説明】
【技術分野】
【０００１】
本発明は、非接触型電子タグ（ＲＦＩＤ：Radio Frequency ID）などの電子タグを用いた技術に関し、更に詳しくは、電子タグを内部に備えた携帯電話やＰＤＡ等の携帯機器に関する。
【背景技術】
【０００２】
データキャリアとなる非接触型電子タグの普及に伴ない、電子タグを用いた様々なシステムが提案され、また実用化されている。
例えば特許文献1には、電子タグを用いたチケット発券システムが提案されており、このシステムでは、会員ＩＤを記憶するデータキャリアとして電子タグを用い、チケットにこれを貼付して、会場へ入場する際にチェックに用いている。
【０００３】
また電子タグを内蔵した電子カードを定期券に用いる等の使用法も現在実現化されている。
【特許文献１】特開２００３−２２３５２５号公報（段落[００３０]〜［００３７］）
【発明の開示】
【発明が解決しようとする課題】
【０００４】
現在実現したり提案されている電子タグの使用方法としては、物品に貼付して用いたり、ＩＣカードに内蔵して用いることが考えられているが、これらの使用方法は、一つの電子タグを特定の使用方法に限定するものである。例えば電子タグを内蔵したカードの場合、カードリーダにより電子タグを読み取ってカードの所有者を特定してカードの所有者に対してサービスを行なう。
【０００５】
データキャリアとして電子タグを用いたサービスは、これからますます普及してゆくものと考えられるが、現在提案されている電子タグの使用形態では、サービスの種類が増えるとそれに応じて多数のカードを所有しなければならなくなる。
また従来型の場合、カードの盗難などに対しては電子カードを使用不能にしたい場合に対応できない。
【０００６】
本発明は、上記問題点を解決した電子タグを有する携帯機器、サーバ装置やプログラム及びその使用形態を提供することを課題とする。
【課題を解決するための手段】
【０００７】
本発明は、電子タグを有する携帯機器を前提とし、上記問題点を解決する為、通信手段及びアクセス手段を備える。
通信手段は、有線や無線の公衆回線、専用回線などを介してインターネット網や電話網等の通信回線と接続する。
【０００８】
アクセス手段は、前記通信手段が前記通信回線から受信した指示に基づいて、前記電子タグ内に記憶されているタグ情報とアクセスする。
この構成により、通信回線を介して外部から受けた指示に基づいて、電子タグ内のタグ情報を書き換えることが出来る。
【０００９】
また上記電子タグの他に、前記アクセス手段によって前記タグ情報にアクセスすることが出来ない第２の電子タグを更に備える構成としても良い。この構成により、求められるセキュリティの高さに応じて２種類の電子タグを使い分けることが出来る。
更に、前記通信手段に、前記タグ情報の消去の要求を送信させ、該消去の要求に対する応答があったなら前記電子タグ内のタグ情報を消去する停止手段を更に備える構成とすることも出来る。この構成により、不要になったタグ情報を消去して、電子タグ内の記憶領域を有効に用いることが出来る。
【００１０】
また本発明は、上記電子タグを有する携帯機器と通信回線によって接続されるサーバ装置もその範囲内に含む。
このサーバ装置は、各電子タグを識別する識別コードであるＩＤコードを前記携帯機器に対する情報と対応付けて記憶するデータベース手段と、前記通信回線を介して、前記携帯機器の認証を行なう認証手段と、前記携帯機器の認証が得られれば、前記ＩＤコードを含むタグ情報を前記電子タグに書き込むよう前記携帯機器に要求すると共に、前記データベース手段に当該ＩＤコードを登録する登録手段と、を備える。
【００１１】
この構成により、このサーバ装置からの指示によって携帯機器内のタグ情報を書き換えることが出来、またこのタグ情報はこのサーバ装置内で管理されているので、必要な場合には、サーバ装置内の処理によってサービスの提供を停止することが出来る。
また、本発明は電子タグを有する携帯機器内や、この携帯機器と通信回線で接続するサーバ装置で実行されるプログラムもその範囲に含む。
【発明の効果】
【００１２】
本発明によれば、携帯機器外部からの指示に基づいて、電子タグ内のタグ情報を書き換えることが出来るので、電子タグとしての機能に汎用性を持たせることが出来る。よってユーザは、電子タグを内部に有するカード等を複数持つ必要がない。
またタグ情報を携帯機器外部のサーバ内に持つので、盗難等に対してもサービスを停止することによって対応することが出来る。
【発明を実施するための最良の形態】
【００１３】
以下に本発明に係る一実施形態を図面を参照しながら説明する。
以下の例では、本発明による携帯機器として携帯電話に適用した場合を例として示すが、尚本発明による携帯機器としては、携帯電話やＰＳＨのみに限らず、ＰＤＡや携帯ゲーム器等、情報処理機能と通信機能を備えた携帯可能な機器であれば他のものでも良い。
【００１４】
図１は本実施形態による携帯機器を携帯電話として構成した場合の構成例を示すブロック図である。
図１の携帯電話は、高周波回路部３、音声制御部４、音声入出力部５、制御部６、表示部７及び入力部８を有している。
【００１５】
高周波回路部３は、指定されたチャンネルに対応する周波数の電波の送受信処理を行なうユニットである。高周波回路部３は、制御部６により指定されたチャンネルで受信した信号を、呼出信号やチャンネル情報などの非音声信号の場合は制御部６へ、音声信号の場合は音声制御部４へ送る。また高周波回路部３は、制御部６から出力される着信応答信号、発呼要求信号、ダイヤルデータなどの非音声信号や、音声制御部４から出力される音声信号を対応する高周波電気信号に変換してアンテナ９から出力する。音声制御部４は、高周波回路部３からの音声電気信号を音声入出力部５へ出力し、また音声入出力部５からの音声電気信号を高周波回路部３へ出力するユニットである。音声入出力部５は、制御部６の制御の下に、音声制御部４からの音声電気信号をスピーカ５２へ送り、またマイクロホン５１からの音声電気信号を音声制御部４へ出力するユニットである。スピーカ５２は音声入出力部５からの音声電気信号を音声に変換して外部に出力するユニットであり、マイクロホン５１は入力された音声波を電気信号に変換して音声入出力部５に出力するユニットである。制御部６は、図１の携帯電話全体の制御を司る部分で、内部にファームウエアとして記憶する制御プログラムに基づいて、機器内の各回路部に制御信号を送り、それらの動作を指示・制御する。表示部７は、液晶等によって構成された表示ユニットで、制御部６の制御指示に基づいて、液晶を駆動させて表示を行なう。入力部８は、ユーザが操作するダイヤルスイッチ等で構成される入力ユニットであり、この入力部８に対する操作は制御部６に通知され、制御部６はこの通知から、ユーザの操作指示に基づいた動作を実現する為に各ユニットを制御指示する。アンテナ９は、受信電波を受けて対応する電気信号を高周波回路部３に送り、また高周波回路部３からの電気信号を電波に変換して外部に出力するユニットである。
【００１６】
また図１の携帯電話は、その特徴として電子タグとして機能する２つのＲＦ-ＩＤ回路部１ａ、１ｂ及びそのアンテナ２ａ、２ｂを有している。
ＲＦ-ＩＤ回路部１ａ、１ｂは、アンテナ２ａ、２ｂから受信した電波によって電力を発生させ、その電力によってＩＤコード等を、受信した電波に対する応答としてアンテナ２ａ、２ｂから外部へ出力することによって電子タグとして機能する。
【００１７】
この２つのＲＦ-ＩＤ回路部１ａ、１ｂのうち、ＲＦ-ＩＤ回路部１ａは、内部に記憶しているタグ情報を制御部６からの指示によって書き換えることが出来る。よってＲＦ-ＩＤ回路部１ａは、携帯機器を通信回線に接続し、その回線を介して外部からタグ情報として種々の設定を行なえる。これによりＲＦ-ＩＤ回路部１ａは、電子タグとしての機能に汎用性を持たせることが出来、複数のサービスやサービス提供者に対応することが出来る。
【００１８】
またＲＦ-ＩＤ回路部１ｂ（及びアンテナ１ｂ）は、携帯機器内の他のユニットとは独立しており、従来型の電子タグとして用いられる。よってこのＲＦ-ＩＤ回路部１ｂは、電子マネー等ＲＦ-ＩＤ回路部１ａよりセキュリティの高さが要求されるサービスに用い、ＲＦ-ＩＤ回路部１ａはセミナー受講や広告情報や付帯情報等などセキュリティがそれほど要求されないものに用いる等の使い分けを行なうことが出来る。尚図１では独立型のＲＦ-ＩＤ回路部１ｂを１つ設けた構成であるが、２つ以上の独立型のＲＦ-ＩＤ回路部１ｂを備える構成としても良い。
【００１９】
図２は図１のＲＦ−ＩＤ回路部１ａ、１ｂの内部構成を示すブロック図である。尚同図は、ＲＦ−ＩＤ回路部１ａの構成を示しているが、ＲＦ−ＩＤ回路部１ａとＲＦ−ＩＤ回路部１ｂの構成の差異については後述する。
図２のＲＦ−ＩＤ回路部１は、蓄積部１１、整流平滑部１２、送受信部１３、ＣＰＵ１４、ＥＥＰＲＯＭ１５及びスイッチ１６を有する。
【００２０】
送受信部１１は、アンテナ２a で受信された電波を検波し、また送信の際はＥＥＰＲＯＭ１５に格納されている情報を変調してアンテナ２a から出力する。整流平滑部１２は、送受信部１３で検波された信号を直流電圧または直流電流に変換する。蓄積部１３は、受信電波により得られた電気エネルギーを蓄積しておき、電波送信時等に使用する電気エネルギーとして利用する。ＣＰＵ１４は、内部にファームウエアとして記憶する制御プログラムに基づいてＲＦ−ＩＤ回路部１全体の制御を行なうもので、アンテナ２a から受信した信号を解析し、その結果に基づいてＥＥＰＲＯＭ１５内の情報をアンテナ２a を介して外部に出力したり、ＥＥＰＲＯＭ１５内の情報を書き換えたりする。またＣＰＵ１４は、バスライン１７によって携帯電話の制御部６と繋がっており、このバスライン１７からの指示に基づいて、ＥＥＰＲＯＭ１５内のデータを制御部６に送出したり、ＥＥＰＲＯＭ１５内のデータを書き換えたりする。ＥＥＰＲＯＭ１５は、不揮発性半導体メモリからなり、タグの識別コードとなるＩＤコードなど電子タグとして使用する為に必要なタグ情報を記憶する。スイッチ１６は、電力を供給する為のもので、制御部６からのスイッチ制御ラインによって蓄積部１１と電源ラインとのＯＮ／ＯＦＦを切り替える。スイッチ１６は、制御部６からの指示によってＣＰＵ１１がＥＥＰＲＯＭ１５からデータ読み書きを行なうときに、ＯＮとなり蓄積部１１に電力を供給し、蓄積部１１は、ＣＰＵ１４及びＥＥＰＲＯＭ１５に電力を供給する。これにより、図示しないタグリーダ/ライタからの電波をアンテナ２a で受信できない状況下であっても、携帯電話の制御部６から電子タグをアクセスできる。
【００２１】
尚図２において、図１のＲＦ-ＩＤ回路部１ａとＲＦ−ＩＤ回路部１ｂの違いは、ＲＦ-ＩＤ回路部１ｂは回路として携帯機器内の他の回路と電気的に独立しているので、スイッチ１６を備えておらず、ＲＦ-ＩＤ回路部１ｂ外部からの電源ラインとは繋がっていない。またＣＰＵ１４も、制御部６とは独立しており、バスライン１７とは接続されていない。
【００２２】
また図２は、ＲＦ-ＩＤ回路部１は、スイッチ１６がＯＮとなっているとき以外、受信電波から得られた電力によって駆動する構成となっているが、電波からの電力に加え携帯電話などの携帯機器の電池等から常に、もしくは電子タグから送受信時に電力が供給され、この電力によって駆動する構成としても良い。
【００２３】
このような構成により、ＲＦ-ＩＤ回路部１ａは、アンテナ２ａによってタグリーダ/ライタからの電波を受信することにより、ＥＥＰＲＯＭ１５内のタグ情報にアクセスするだけでなく、制御部６からの指示によっても、アクセスすることが出来る。これにより、携帯機器側からの指示制御、例えば携帯機器をネットワークに接続し、そのネットワーク介しての指示、或いは携帯機器に備えられている入出力装置から指示することにより、ＥＥＰＲＯＭ１５内のタグ情報にアクセスすることが出来る。
【００２４】
このような構成の携帯機器による電子タグの使用例を以下に示す。
図３は、携帯機器内のＲＦ-ＩＤ回路部１ａにタグ情報の設定を行なうシステムの構成例を示す図である。
同図のシステムでは、上述した携帯機器３１が、ＩＤ管理サーバ３２、ＩＤ発行装置３３、サービス提供サーバ３４とインターネット網や電話網の通信回線通信回線３５によって接続されている。
【００２５】
ＩＤ管理サーバ３２は、ＩＤコードの発行やその管理の処理を行なうネットワークサーバで、サービス提供サーバにからの要求によりＩＤコードを携帯機器３１内のＩＤタグに登録すると共に、ＩＤデータベース３６に登録して管理する。ＩＤ発行装置３３は、ＩＤ管理サーバの要請により、新規ＩＤを発行してＩＤ管理サーバに渡す。サービス管理サーバ３４は、携帯機器３１のユーザに様々なサービスを提供するサービス提供者のサーバで、サービスを提供するにあたり、ＩＤ管理サーバ３２にＩＤコードの登録を要請し、このＩＤコードを持つ電子タグに対して種々のサービスを提供する。
【００２６】
尚同図の構成において、ＩＤ発行装置３３とＩＤ管理サーバ３２を独立して設けるのではなく、ＩＤ発行装置３３をＩＤ管理サーバ３２の機能の一部として実現しても良い。
このような、システムにおいて、ＩＤコードの発行処理について説明する。
図４は、ＩＤ発行処理、及び後述するＩＤの停止処理時におけるＩＤ管理サーバ３２の動作処理を示すフローチャートである。
【００２７】
まず、ＩＤ発行処理時の動作を説明する。
ＩＤ発行処理は、サービス提供サーバからＩＤコードの発行が依頼されると処理が開始され、ステップＳ１としてＩＤ管理サーバ３２は、通信回線３５を介して、ＩＤ発行装置３３にまだ使用されていない新規のＩＤコードの発行を依頼し、これを取得する。
【００２８】
次にＩＤ管理サーバ３２は、ステップＳ２として、サービス提供サーバ３４からＩＤコードの発行依頼と共に受け取った情報、例えばサービス名、ユーザの電話番号等の認証情報、電子データをＩＤデータベース３６にステップＳ１で所得したＩＤコードと対応付けて記憶する。
【００２９】
そしてＩＤ管理サーバ３２は、ステップＳ３として携帯機器３１にＲＦ−ＩＤ書き込み要求を送信してＩＤを発行することを通知し、この通知に対する携帯機器３１からの応答内容からユーザ認証を行なう（ステップＳ４）。そしてこの認証の結果、携帯機器３１（及びそのユーザ）が認証されなければ（ステップＳ４、ＮＧ）、認証されなかったことを携帯機器３１に通知すると共にステップＳ１０としてステップＳ２で登録したＩＤデータベース３６内のレコードを削除して、処理を終了する。
【００３０】
またステップＳ４で携帯機器３１が認証されれば（ステップＳ４、ＯＫ）、ステップＳ５として携帯機器３１へＩＤコード及びＩＣデータを送信し、携帯機器３１からの応答待ちとなる（ステップＳ６、Ｎ：ステップＳ９、Ｎ）。そして一定時間経過しても応答が無ければ（ステップＳ９、Ｙ）、ステップＳ１０としてステップＳ２で登録したＩＤデータベース３６内のレコードを削除して、処理を終了する。
【００３１】
ステップＳ６で、携帯機器３１から応答があり、応答としてＲＦ−ＩＤ回路部１ａに書き込んだＩＤコード及びＩＣデータを受信すれば（ステップＳ６、Ｙ）、ステップＳ７として、ステップＳ６で受信した携帯機器３１に書き込まれたＩＤコード及びＩＣデータが正しいか照合を行ない、正しければ（ステップＳ７、ＯＫ）、ＩＤデータベース３６のレコードの対応位置に発行日及び期限日をセットして処理を終了する。
【００３２】
またステップＳ７の照合の結果、受信したＩＤコード及びＩＣデータに問題があれば（ステップＳ７、ＮＧ）、ステップＳ１２としてＲＦ−ＩＤ回路部１ａに書き込んだデータの削除要求を携帯機器ＩＤ管理サーバ３２に送信し、ステップＳ１３としてＩＤデータベース３６の対応レコードに停止日をセットして処理を終了する。
【００３３】
次にＩＤの停止処理時の処理動作を説明する。
携帯機器３１からＩＤの停止処理要請を受けると、ＩＤ管理サーバ３２は、まずステップＳ１１として携帯機器３１に接続されたことを通知する。
次にＩＤ管理サーバ３２は、ステップＳ１２として停止処理要請を送信してきた携帯機器３１に削除要求を送信する。そして、ステップＳ１３としてＩＤデータベース３６の対応レコードに停止日をセットして処理を終了する。
【００３４】
図５は、ＩＤデータベース３６のレコード構成を示す図である。
このＩＤデータベース３６にレコードとして登録された情報は、電子タグについての管理情報として用いられ、またサービス提供者側がサービス提供時に、リーダによって電子タグから読み出したタグ情報と比較され、電子タグ（即ち携帯機器のユーザ）の特定に用いられる。
【００３５】
同図では、レコードにＩＤコード、認証情報、発行日、期限日、停止日及びＩＣデータが記憶されている。
ＩＤコードは、携帯機器３１のＲＦ−ＩＤ回路部１ａに記憶される一意なコードで、このコードを用いて、サービス会社はサービスを行なう。認証情報は携帯機器３１の電話番号やＩＰアドレス等、携帯機器３１を一意に識別できる情報で、この情報によって認証処理を行なう。発行日は、ＩＤコードを発行した日付、期限日はそのＩＤコードの有効日を示す日付である。また停止日は、そのＩＤコードが無効になったとき、その日付が記憶されるものである。ＩＣデータは、サービス提供者が使用するデータ項目で、このＩＣデータ部分にサービスを提供する際に用いる種々の情報が書き込まれる。
【００３６】
このように、本実施形態では、ＩＤコードやＩＣデータ等のタグ情報をＩＤ管理サーバ３２が管理しているＩＣデータベースで保持、管理しているので、携帯機器の盗難等に対して、対応レコードの停止日をセットすることにより、電子タグによるサービスの提供を停止することが出来る。
【００３７】
図６は、ＩＤ管理サーバ３２を構成する情報処理装置のシステム環境を示す図である。
本実施形態におけるＩＤ管理サーバ３２は、図６に示す様にＣＰＵ６１、主記憶装置６２、ハードディスク等の補助記憶装置６３、ディスプレイ、キーボード等の入出力装置（Ｉ／Ｏ）６４、通信回線３５との接続を行なうモデム等のネットワーク接続装置６５及びディスク、磁気テープなどの可搬記憶媒体６７から記憶内容を読み出す媒体読取り装置６６を有し、これらが互いにバス６８により接続される構成を備えている。
【００３８】
図６の情報処理装置は、媒体読取り装置６６により磁気テープ、フロッピー（登録商標）ディスク、ＣＤ−ＲＯＭ、ＭＯ等の記憶媒体６８に記憶されているプログラム、データを読み出し、これを主記憶装置６２または補助記憶装置６３にダウンロードする。そしてこのプログラムやデータに基づいて、ＣＰＵ６１が実行処理を行なうことにより、上記したＩＤ発行処理や、停止処理、サービス提供時等のＩＤデータベース３６へのアクセス処理の機能を実現する
図７は、携帯機器３１側で行なわれる処理を示すフローチャートである。同図の処理は、携帯機器３１内の制御部６が内部に記憶している制御プログラムを実行することによって実現される。
【００３９】
図７に示す処理には、ＩＤ管理サーバ３２から処理要求を受信したときの処理と、ＩＤ管理サーバ３２にＩＤコードの停止要請を行なうときの処理が示されている。
まず、処理要求を受信したときの処理を説明する。
ＩＤ管理サーバ３２から処理要求を受信すると、制御部６はまずその処理要求の内容を判断し、その要求がＲＦ−ＩＤ回路部１ａの書き込み要求のとき（ステップＳ２１、Ｙ）、ＩＤ管理サーバ３２に電話番号等の認証情報を送信し、ＩＤ管理サーバ３２から認証が得られなければ（ステップＳ２２、ＮＧ）、処理を終了する。
【００４０】
ステップＳ２２でＩＤ管理サーバ３２から認証許可の通知を得れば（ステップＳ２２、ＯＫ）、次にステップＳ２３としてＲＦ−ＩＤ回路部１ａに書き込むＩＤコード及びＩＣデータをＩＤ管理サーバ３２から受信し、これをタグ情報としてＲＦ−ＩＤ回路部１ａに書き込む（ステップＳ２４）。
【００４１】
この後、携帯機器は、ステップＳ２４でＲＦ−ＩＤ回路部１ａにＩＤコード及びＩＣデータが正常に書き込まれたかどうかを確認する為、ステップＳ２４としてＲＦ−ＩＤ回路部１ａからＩＤコード及びＩＣデータを読み出し、ステップＳ２６としてこれをＩＤ管理サーバ３２に送信して処理を終了する。
【００４２】
この後、ＲＦ−ＩＤ回路部１ａへの書き込みが正常に行なわれており、ステップＳ２６でＩＤ管理サーバ３２に送ったＩＤコード及びＩＣデータに問題が無ければ、ＩＤ管理サーバ３２にから応答は無く、以降携帯機器３２は、ＩＣタグとして用いることが出来る。しかし、ＩＤ管理サーバ３２による照合チェック（図３のステップＳ７）の結果、ＲＦ−ＩＤ回路部１ａから読み出したＩＤコード及びＩＣデータに問題があれば、ＩＤ管理サーバ３２は、携帯機器３１にＲＦ−ＩＤ回路部１ａ内のデータの削除を要求する削除要求を送信してくる。
【００４３】
ＩＤ管理サーバ３２から受信した処理要求が削除要求であったなら（ステップＳ２１、Ｎ：ステップＳ２８、Ｙ）、ステップＳ２９としてＲＦ−ＩＤ回路部１ａ内のデータを削除後、処理を終了する。尚ＩＤ管理サーバ３２から受信した処理要求がＲＦ−ＩＤ書き込み要求でも削除要求でもない場合（ステップＳ２１、Ｎ：ステップＳ２８、Ｎ）、ステップＳ３０としてその処理要求に対応した処理を行なった後、本処理を終了する。
【００４４】
次にＩＤコードの停止要請について説明する。この停止要請は、サービスが終了したり、不要になったときに、携帯機器３１側から行ない、タグ情報を消去するものである。
ＩＤコードの使用を停止する場合は、ステップＳ２７として携帯機器３１はＩＤ管理サーバ３２にＩＤコードの停止要請を送信後、本処理を終了する。ＩＤ管理サーバ３２は、この停止要請を受けると上記したＩＤの停止処理を行なって携帯機器３１に削除要求を送信してくるので、携帯機器３１では上述したステップＳ２８、Ｓ２９の処理を行なってＲＦ−ＩＤ回路部１ａ内のデータを削除して処理を終了する。
【００４５】
このように本実施形態の携帯機器は、外部からの指示によってＲＦ−ＩＤ回路部１ａ内のタグ情報を書き換えることが出来るので、必要に応じてタグ情報を書き換えることにより一つの携帯機器３１で、様々なサービスに対応することが出来る。
尚上述した処理は、携帯機器３１とＩＤ管理サーバ３２の間の接続を通信回線３５によって行なうことを前提としていたが、携帯機器３１が電話回線を用いて直接、携帯機器３１とＩＤ管理サーバ３２の間の接続を行なうようにしても良い。
【図面の簡単な説明】
【００４６】
【図１】本実施形態による携帯機器の構成例を示すブロック図である。
【図２】ＲＦ−ＩＤ回路部の内部構成を示すブロック図である。
【図３】携帯機器内のＩＤコードを用いたシステムの構成例を示す図である。
【図４】ＩＤ発行処理及び後述するＩＤの停止処理時における、ＩＤ管理サーバの動作処理を示すフローチャートである。
【図５】ＩＤデータベースのレコード構成を示す図である。
【図６】ＩＤ管理サーバを構成する情報処理装置のシステム環境を示す図である。
【図７】携帯機器で行なわれる処理を示すフローチャートである。
【符号の説明】
【００４７】
１ａ、１ｂ  ＲＦ−ＩＤ回路部
２ａ、２ｂ  アンテナ
３          高周波回路部
４          音声制御部
５          音声入出力部
６          制御部
７          表示部
８          入力部
１１        蓄積部
１２        整流平滑部
１３        送受信部
１４        ＣＰＵ
１５        ＥＥＰＲＯＭ
１６        スイッチ
１７        バスライン
【図１】
2005107653.tif 000003
【図２】
2005107653.tif 000004
【図３】
2005107653.tif 000005
【図４】
2005107653.tif 000006
【図５】
2005107653.tif 000007
【図６】
2005107653.tif 000008
【図７】
2005107653.tif 000009